(57)【要約】【課題】本発明は魚釣用電動リールに関し、簡単な構成によって釣糸繰出し時のバックラッシュ現象を防止した魚釣用電動リールを提供することを目的とする。【解決手段】リール本体に回転自在に支持されたスプールと、当該スプールを巻取り駆動するスプールモータと、当該スプールモータの駆動力を減速して上記スプールに伝達する遊星減速機構と、上記スプールを釣糸巻取り状態とフリー回転状態とに切り換えるクラッチ機構とを備えた魚釣用電動リールに於て、上記遊星減速機構を、クラッチ機構によるスプールのフリー回転状態でのスプールモータ駆動でスプールを釣糸巻取り方向へ回転可能に構成し、スプールのフリー回転状態での釣糸の繰出し時に、スプールモータの駆動でスプールに釣糸巻取り方向への回転力を作用させることを特徴とする。【選択図】　　　図１
2004081128.tif 000002
【特許請求の範囲】
【請求項１】
リール本体に回転自在に支持されたスプールと、
当該スプールを巻取り駆動するスプールモータと、
当該スプールモータの駆動力を減速して上記スプールに伝達する遊星減速機構と、
上記スプールを釣糸巻取り状態とフリー回転状態とに切り換えるクラッチ機構とを備えた魚釣用電動リールに於て、
上記遊星減速機構を、クラッチ機構によるスプールのフリー回転状態でのスプールモータ駆動でスプールを釣糸巻取り方向へ回転可能に構成し、
スプールのフリー回転状態での釣糸の繰出し時に、スプールモータの駆動でスプールに釣糸巻取り方向への回転力を作用させることを特徴とする魚釣用電動リール。
【請求項２】
スプールの回転状態を検出する検出手段と、
釣糸の繰出し時に於けるスプールの速度条件を記憶した記憶手段と、
上記検出手段からの検出値が当該速度条件に一致したとき、スプールモータを駆動制御する制御手段と、
を備えたことを特徴とする請求項１記載の魚釣用電動リール。
【発明の詳細な説明】
【０００１】
【発明の属する技術分野】
本発明は魚釣用電動リールに係り、詳しくは釣糸繰出し時のバックラッシュ現象を防止した魚釣用電動リールに関する。
【０００２】
【従来の技術】
船釣り等、一般に深場の魚層を対象とした魚釣りを行う場合、魚釣用電動リール（以下、「電動リール」という）が広く使用されている。
従来周知のようにこの電動リールは、スプールモータの駆動で釣糸の巻取り操作を行うもので、昨今では、スプール内にスプールモータとその回転をスプールに伝達させる遊星減速機構を組み込んだ所謂スプールインタイプの電動リールを始め、スプールモータをスプール前方の側板間に装着して、スプールモータの駆動力を動力伝達機構と遊星減速機構を介してスプールに伝達させる構造等が広く普及している。
【０００３】
ところで、従来、この種の電動リールにあっては、仕掛けの降下に伴う釣糸の繰出しでスプールが回転すると、これに噛合する遊星減速機構のギヤ列も回転するため、ギヤ列の駆動トルクや軸受部の摩擦抵抗がスプールに制動力として作用して、これが仕掛けの降下速度を遅くする一因となっていた。
そこで、本出願人は先に特許第２８０９３０２号公報に於て、スプールモータの駆動力を利用して、釣糸の繰出し時にスプールを繰出し方向へ回転させる回転力付勢手段を具備した電動リールを提案した。
【０００４】
この従来例は、図４及び図５の如くリール本体１に装着したスプールモータ３の左モータ軸３ａと右モータ軸３ｂに、夫々、第１の遊星減速機構５と一方向クラッチ７を装着し、反ハンドル側の側板８内に複数枚のギヤ９ａ，９ｂ，９ｃからなる動力伝達機構９を装着して、スプールモータ３から遊星減速機構５と動力伝達機構９を介してスプール軸１１に矢印Ａ方向の動力を伝達すると共に、スプール軸１１のハンドル側に装着した太陽歯車１３，遊星歯車１５，内歯歯車１７からなる第２の遊星減速機構１９でスプール２３を矢印Ｂ方向に回転させてスプール２３に釣糸を巻回する電動リールで、その特徴は、スプール軸１１の外周に、当該スプール軸１１の回転による遠心力でスプール２３のスプール軸挿通孔２５の内周に当接可能な遠心カラー２７等の回転力付勢手段を装着し、釣糸の繰出し時（クラッチ機構を切り換え操作してスプールをフリー回転状態としたとき）にスプールモータ３を駆動させることで、スプール軸１１をスプール２３と同方向（図４中、矢印Ａ方向）へ回転させ、遠心力で遠心カラー２７をスプール軸挿通孔２５の内周に当接させて、スプール２３に釣糸繰出し方向への回転力を付勢するようにしたものである。
【０００５】
【発明が解決しようとする課題】
しかし、実際の釣場の状況は、船上での波や風の影響，仕掛けの重さ等によって仕掛けの降下速度（釣糸の繰出し速度）は一定せず、例えば重い仕掛けを使用した場合、前記回転力付勢手段によってスプールに釣糸繰出し方向への回転力を付勢すると、スプールの回転速度が釣糸の繰出し速度を追い越してバックラッシュ現象が発生してしまう虞がある。
【０００６】
また、斯様に回転力付勢手段でスプールを釣糸繰出し方向へ回転させてしまうと、弱り易い生き餌を使用する場合に生き餌へのダメージが大きくなって好ましくないといった不具合も指摘されていた。
尚、特開２０００−６０３７９号公報には、クラッチＯＦＦ（スプールのフリー回転状態）時にモータ軸上の一方向クラッチを逆転防止状態から逆転可能状態に切り換え、所定の繰出し速度になったときにスプールモータを逆流駆動（巻取り方向への回転駆動）させて、スプールに制動力を付与するようにした電動リールが提案されている。
【０００７】
しかし乍ら、斯かる従来例にあっては、スプールモータを正転（クラッチＯＮ時の釣糸巻取り方向）及び逆転（クラッチＯＦＦ時のスプール制動力付与）駆動させるために、モータ軸上の一方向クラッチを切り換える切換手段が必要となって部品点数が多く構造が複雑で、組込性，信頼性，製造コスト等の点に於て、好ましくない等の課題が残されている。
【０００８】
本発明は斯かる実情に鑑み案出されたもので、簡単な構成によって、釣糸繰出し時のバックラッシュ現象を防止した電動リールを提供することを目的とする。
【０００９】
【課題を解決するための手段】
斯かる目的を達成するため、請求項１に係る発明は、リール本体に回転自在に支持されたスプールと、当該スプールを巻取り駆動するスプールモータと、当該スプールモータの駆動力を減速して上記スプールに伝達する遊星減速機構と、上記スプールを釣糸巻取り状態とフリー回転状態とに切り換えるクラッチ機構とを備えた電動リールに於て、上記遊星減速機構を、クラッチ機構によるスプールのフリー回転状態でのスプールモータ駆動でスプールを釣糸巻取り方向へ回転可能に構成し、スプールのフリー回転状態での釣糸の繰出し時に、スプールモータの駆動でスプールに釣糸巻取り方向への回転力を作用させることを特徴とする。
【００１０】
そして、請求項２に係る発明は、請求項１記載の電動リールに於て、スプールの回転状態を検出する検出手段と、釣糸の繰出し時に於けるスプールの速度条件を記憶した記憶手段と、上記検出手段からの検出値が当該速度条件に一致したとき、スプールモータを駆動制御する制御手段とを備えたことを特徴とする。
【００１１】
（作用）
請求項１に係る発明によれば、釣糸の繰出し時にスプールモータを駆動すると、遊星減速機構がスプールに釣糸巻取り方向への回転力を作用させて、釣糸繰出し方向に回転しているスプールに制動力をかける。
【００１２】
また、請求項２に係る発明によれば、釣糸の繰出し時に検出手段で検出した検出値が速度条件に一致すると、制御手段がスプールモータを駆動する。
而して、斯様にスプールモータが駆動すると、遊星減速機構がスプールに釣糸巻取り方向への回転力を作用させて、釣糸繰出し方向に回転しているスプールに制動力をかけることとなる。
【００１３】
【発明の実施の形態】
以下、本発明の実施形態を図面に基づいて詳細に説明する。
図１乃至図３は請求項１及び請求項２の一実施形態に係る電動リールを示し、図に於て、３１はリール本体３３のフレーム、３５，３７は当該フレーム３１の左右に取り付く側板で、両側板３５，３７間にスプール軸３９を介してスプール４１が回転可能に支持されており、スプール軸３９はスプール４１の軸心に設けたスプール軸挿通孔１１５を貫通して、側板３５とスプール４１に軸受４３，４５，４６を介して回転可能に支持されている。
【００１４】
スプール４１は、スプールモータ４９の駆動とハンドル５１の巻取り駆動で巻取り方向に回転して釣糸が巻回されるようになっており、スプールモータ４９は、スプール４１前方のフレーム３１に一体成形された筒状のモータケース５３内に収納されている。
そして、側板３７側のモータケース５３の開口部にモータカバー５５が着脱自在に止着されており、当該モータカバー５５に形成された取付凹部５７に、スプールモータ４９の右モータ軸５９に取り付く一方向クラッチ６１が装着されている。
【００１５】
一方、反ハンドル側の側板３５内には、図３の遊星減速機構５と同一構造からなる第１の遊星減速機構６３が、スプールモータ４９の左モータ軸６５と同軸上に組み付けられている。
即ち、図１に於て、６７はフレーム３１に取り付くブラケットで、当該ブラケット６７を挿通して遊星歯車６９のキャリア（遊星歯車支持体）７１が側板３５方向へ突出している。そして、キャリア７１の突出端は側板３５に装着した軸受７３によって回転可能に支持され、スプールモータ４９側の端部は軸受７５を介して左モータ軸６５に回転可能に支持されている。そして、キャリア７１には、左モータ軸６５に固着した太陽歯車７７に噛合する複数の遊星歯車６９が取付ピン７９によって取り付けられており、各遊星歯車６９は更に、モータケース５３の端部の内周に設けた内歯歯車８１に噛合している。
【００１６】
而して、スプールモータ４９の駆動で太陽歯車７７が回転すると、各遊星歯車６９が太陽歯車７７の回りを自転し乍ら公転してキャリア７１を一方向へ回転させる。そして、キャリア７１のボス部８３には１枚のギヤ８５が固着され、更に、これに順次噛合する２枚のギヤ８７，８９が、夫々、側板３５内に装着されており、ギヤ８９はスプール軸３９の反ハンドル側端部に回止め嵌合されている。
【００１７】
そして、上述の如くスプールモータ４９の駆動でキャリア７１が回転すると、その回転力が各ギヤ８５，８７，８９からなる動力伝達機構９１によりスプール軸３９に伝達されて、スプール軸３９が矢印Ｃ方向に回転するようになっている。
尚、スプール軸３９の逆回転は、既述した一方向クラッチ６１で阻止されている。
【００１８】
また、スプール軸３９の外周には、図４の遠心カラー２７と同一構造からなる複数の遠心カラー１３９が装着されており、スプール軸３９の矢印Ｃ方向への回転に伴い、各遠心カラー１３９が遠心力でスプール軸挿通孔１１５の内周に当接して、スプール４１に矢印Ｃ方向への回転力を付勢するようになっている。そして、このスプール４１の矢印Ｃ方向への回転方向は釣糸巻取り方向である。
【００１９】
そして、スプール４１の中央を貫通したスプール軸３９の他端側に、第２の遊星減速機構９３が装着されている。
この遊星減速機構９３は、スプール軸３９を介してスプール４１に伝達されるスプールモータ４９の駆動力を減速する減速機構として機能すると共に、ハンドル１５の巻取り動力をスプール４１に伝達させる動力伝達機構として機能するもので、図２に於て、９４はスプール軸３９の端部に固着されたキャリア（遊星歯車支持体）、９５は取付ピン９７を介して当該キャリア９４に取り付く複数の遊星歯車で、図３に示すように遊星歯車９５は、１２０°の間隔を開けてキャリア９４の外周縁に沿って配置されている。
【００２０】
また、図２中、９９はスプール４１の端部内周に刻設された内歯歯車、１０１は軸受４５と後述するピニオン軸１０３を介してスプール軸３９と同軸上に回転可能に位置決めされた太陽歯車で、図２及び図３に示すように当該太陽歯車１０１に複数の遊星歯車９５が噛合し、更に各遊星歯車９５は、夫々、内歯歯車９９に噛合している。
【００２１】
そして、太陽歯車１０１と回転中心を同じくしてこれに一体成形された係合体１０５が、スプール４１の端部に取り付くブラケット１０７にカラー１０９を介して回転可能に支持されており、当該ブラケット１０７は軸受１１１を介してフレーム３１に支持されている。
このようにブラケット１０７がフレーム３１に支持されてスプール４１が側板３５，３７間に回転可能に支持され、既述したキャリア９４が、スプール軸挿通孔１１５に装着した軸受４６を介してスプール４１内にスプール軸３９と一体回転可能に支持されている。
【００２２】
そして、係合体１０５には、当該係合体１０５と側板３７間にスプール軸３９と同軸上に配置したピニオン軸１０３に回転可能且つその軸方向へ摺動可能に支持されたピニオン１１７がクラッチ係合しており、当該ピニオン１１７の外周に設けた円周溝１１９に、側板３７に装着したクラッチレバー１２１の操作でピニオン１１７と係合体１０５とを係脱させるクラッチ機構１２３のクラッチプレート１２５が配置されている。
【００２３】
また、図１に於て、５１はスプール巻取り用のハンドルで、当該ハンドル５１は、フレーム３１に回転可能に挿着したハンドル軸１２７の側板３７外突出端に取り付けられている。そして、ハンドル軸１２７にはラチェット１２９が固着され、更に上記ピニオン１１７と回転方向変換ギヤ（以下、「変換ギヤ」という）１３１を介して連結するドライブギヤ１３３が回転可能に取り付けられており、ドライブギヤ１３３とハンドル軸１２７間は、ハンドル軸１２７に装着した従来周知のドラグ装置１３７で摩擦結合されて、ハンドル５１の回転がドライブギヤ１３３に伝達されるようになっている。
【００２４】
そして、ラチェッ１２９には図示しない係止爪が係止しており、斯様にラチェット１２９に係止爪が係止してスプール４１の逆転止め、即ち、スプールモータ４９による釣糸の巻取り時に、ハンドル軸１２７がこれに連動して回転しないようになっている。
尚、前記変換ギヤ１３１は、ハンドル５１による手動巻取り操作時に、回転方向を変換してスプール４１を巻取り可能とする目的で装着したものである。
【００２５】
そして、既述したクラッチレバー１２１のクラッチＯＮ／ＯＦＦ操作で、係合体１０５とピニオン１１７とのクラッチ係合が係脱されて、スプールモータ４９とハンドル５１によるスプール４１の巻取り駆動力が伝達／遮断されるようになっている。
また、図示しないがスプール４１の側板３５側端部にはマグネットが装着されると共に、その回転軌跡に対応してフレーム３１にリードスイッチが装着されており、これらはスプール４１の回転方向と回転数を検出する回転検出手段を構成する。そして、リードスイッチは、リール本体３３上部の側板３５，３７間に装着した図示しない制御ボックス内のマイクロコンピュータに接続されている。
【００２６】
而して、マイクロコンピュータのＲＯＭには、特開平５−１０３５６７号公報で開示された魚釣用リールと同様の糸長計測方法がプログラムされており、マイクロコンピュータのＣＰＵは、リードスイッチから出力されるスプール４１の正転，逆転の判定信号を取り込んで釣糸の繰出しか巻取りかを判定すると共に、リードスイッチから取り込むスプール４１の回転パルス信号をアップ・ダウンカウンタでカウントして、この計数値を基にＲＯＭに記憶された糸長計算式から糸長を演算する。
【００２７】
そして、制御ボックス上の操作パネルには表示器が装着されており、ＣＰＵは、演算した糸長計測値を表示駆動回路を介して当該表示器に表示させるようになっている。
従って、釣人は斯かる表示値を確認し乍ら、所定の水深に仕掛けを繰り出すことが可能となる。
【００２８】
また、表示器に隣接して操作パネル上に、スプールモータ４９のＯＮ／ＯＦＦスイッチが装着されている。
更にマイクロコンピュータのＲＯＭには、釣糸の繰出し時に於けるスプール４１の速度条件が記憶されている。
【００２９】
この速度条件は、仕掛けの重さや釣糸の太さ等によって決まるスプール４１の理想的な釣糸繰出し時の回転速度で、既述したように釣糸の繰出し速度をスプールの回転速度が追い越してしまうとバックラッシュ現象が発生する。
そこで、本実施形態では、速度条件として２ｍ／ｓが予め工場出荷段階でＲＯＭに記憶されており、ＣＰＵは、釣糸繰出し時に上記リードスイッチの検出値とマイクロコンピュータに内蔵したタイマの計時値を基にスプール４１の回転速度を算出し、この算出値がこの速度条件に達したと判断すると、スプールモータ４９を作動させてスプール４１に制動力をかけるようになっている。
【００３０】
即ち、釣糸の繰出しに伴い、図１に示すようにスプール４１は矢印Ｄ方向（釣糸繰出し方向）へ回転可能に構成されているが、上述の如くスプール４１の回転速度が速度条件に達したとしてスプールモータ４９が駆動すると、その駆動力が遊星減速機構６３，動力伝達機構９１からスプール軸３９に伝達されてスプール軸３９が矢印Ｃ方向に回転するため、遠心カラー１３９が遠心力でスプール軸挿通孔１１５の内周に当接してスプール４１に矢印Ｄ方向と逆方向（矢印Ｃ方向）への回転力を付勢し、これがスプール４１に対する制動力となる。
【００３１】
また、この釣糸の繰出し時に遊星減速機構９３は、ピニオン１１７とのクラッチ係合が解除されて太陽歯車１０１がフリー回転状態にあり、また、一方向クラッチ６１によって矢印Ｄ方向へのスプール軸３９の回転が規制されているため、キャリア９４の矢印Ｄ方向への回転も規制されている。
このため、図３に示すようにスプール４１の矢印Ｄ方向への回転に連動して、内歯歯車９９と太陽歯車１０１に噛合する各遊星歯車９５は、太陽歯車１０１の回りを公転することなく一定位置で自転する。
【００３２】
そして、この釣糸繰出し状態で、既述の如くＣＰＵの指令でスプールモータ４１が作動してスプール軸３９が矢印Ｃ方向に回転すると、図３に示すようにキャリア９４が矢印Ｃ方向に回転するため、矢印Ｄ方向に自転しようとする各遊星歯車９５が太陽歯車１０１の回りを矢印Ｃ方向へ公転して、噛合する内歯歯車９９を介してスプール４１に釣糸繰出し方向（矢印Ｄ方向）と反対方向（矢印Ｃ方向）への回転力が作用するように付勢すると共に、遠心カラー１３９の回転付勢力と相俟ってスプール４１に釣糸巻取り方向への回転力として作用し、釣糸繰出し時のスプール過回転に対する制動力となる。
【００３３】
このように本実施形態は、釣糸繰出し時にスプール４１の回転速度が速度条件に達すると、ＣＰＵはスプールモータ４９を作動させてスプール４１に制動力をかけ、以後、スプール４１の回転速度が速度条件以下になるまで、ＣＰＵはスプール４１に制動力をかけ続けるようになっている。
その他、図２に於て、１４１は変換ギヤ１３１の支持軸で、当該支持軸１４１はピニオン軸１０３と並列してフレーム３１と側板３７間に軸支されており、変換ギヤ１３１にドライブギヤ１３３とピニオン１１７が常時噛合している。
【００３４】
また、図１中、１４３は太陽歯車１０１が回止め嵌合した支持軸で、当該支持軸１４３は軸受４５に支持され、当該支持軸１４３と既述したピニオン軸１０３を介して、太陽歯車１０１と係合体１０５がスプール軸３９と同軸上に回転可能に位置決めされている。
本実施形態に係る電動リール１４５はこのように構成されているから、クラッチレバー１２１をクラッチＯＦＦ操作すると、クラッチプレート１２５によりピニオン１１７と係合体１０５とのクラッチ係合が解除されて、スプール４１はフリー回転状態に維持される。
【００３５】
この状態に於て、釣糸は仕掛けの自由落下によってスプール４１から繰り出され、釣糸の繰出しに伴い、マイクロコンピュータのＣＰＵは、リードスイッチから取り込むスプール４１の回転パルス信号を基に糸長計測を行い、糸長計測値を表示器に表示する。
従って、釣人は表示器の表示を見乍ら仕掛けを所定の棚位置に繰り出すことができる。
【００３６】
また、既述したようにこの釣糸繰出し時に、ＣＰＵは、リードスイッチの検出値とマイクロコンピュータに内蔵したタイマの計時値を基にスプール４１の回転速度を算出し、この算出値が速度条件に達しているか否かを常時監視する。
そして、スプール４１の回転速度が速度条件に達したと判定すると、ＣＰＵはモータ駆動回路に指令を送出してスプールモータ４９を駆動させる。
【００３７】
而して、斯様にスプールモータ４９が駆動すると、その駆動力が遊星減速機構６３で減速後，動力伝達機構９１からスプール軸３９に伝達されてスプール軸３９が矢印Ｃ方向に回転し、その遠心力で遠心カラー１３９がスプール軸挿通孔１１５の内周に当接して、スプール４１に釣糸繰出し方向（矢印Ｄ方向）と反対方向（矢印Ｃ方向）への回転力を付勢し、回転するスプール４１に制動力をかける。
【００３８】
また、これと同時に、スプールモータ４１が作動してスプール軸３９が矢印Ｃ方向に回転すると、前述のように遊星減速機構９３によってスプール４１に釣糸繰出し方向と反対方向への回転力が作用するように付勢すると共に、遠心カラー１３９の回転付勢力と相俟ってスプール４１に釣糸巻取り方向への回転力として作用し、釣糸繰出し時のスプール過回転に対する制動力となる。そして、スプール４１の回転速度が速度条件より遅くなると、ＣＰＵはスプールモータ４９の駆動を停止し、以後、再び仕掛けの自然落下で釣糸がスプール４１から繰り出されていく。
【００３９】
そして、所定の棚位置に繰り出した処でクラッチレバー１２１をクラッチＯＮ操作すると、ピニオン１１７と係合体１０５とがクラッチ係合されるため、スプール４１は釣糸巻取り状態に維持される。
この状態で魚の当たりがあったとき、ＯＮ／ＯＦＦスイッチのＯＮ操作でスプールモータ４９を駆動してスプール４１を巻取り駆動し、若しくはハンドル５１を回転操作してスプール４１を巻取り駆動すればよい。
【００４０】
而して、スプールモータ４９を駆動させた場合、ラチェット１２９に係止爪が係止してハンドル軸１２７の回転が規制されているため、ハンドル軸１２７にドライブギヤ１３３と変換ギヤ１３１を介して連結したピニオン１１７の回転が規制され、この結果、当該ピニオン１１７とクラッチ係合した太陽歯車１０１（係合体１０５）の回転が規制される。
【００４１】
従って、スプール軸３９の矢印Ｃ方向への回転に連動してキャリア９４が同方向に回転し、そして、これに取り付く遊星歯車９５が太陽歯車１０１の回りを矢印Ｃ方向に公転し乍ら矢印Ｃ方向へ自転して、内歯歯車９９を介してスプール４１を釣糸巻取り方向（矢印Ｃ方向）に回転させることとなる。
一方、魚の当たりがあってハンドル５１を回転操作した場合、その巻取り駆動力がドライブギヤ１３３，変換ギヤ１３１からピニオン１１７，太陽歯車１０１を経て遊星歯車９５からスプール４１に伝達されて、スプール４１が釣糸巻取り方向（矢印Ｃ方向）へ回転することとなる。
【００４２】
このように本実施形態は、釣糸の繰出し時にスプール４１の回転速度が速度条件を越えると、スプールモータ４９が駆動してスプール軸３９に装着した遠心カラー１３９と第２の遊星減速機構９３が、夫々、スプール４１に釣糸繰出し方向と反対方向の回転力を付勢して、回転するスプール４１に制動力をかけるように構成したので、自動的に釣糸繰出し時のスプール４１の過回転が抑制されてバックラッシュ現象が防止でき、支障なく釣糸の繰出し操作が行えることとなった。
【００４３】
而も、本実施形態によれば、特開２０００−６０３７９号公報の従来例に比し少ない部品で構造が簡素化できたため、組込性，信頼性，製造コスト等の点で優れた利点を有する。
尚、上記実施形態では、速度条件を設定して自動的に釣糸繰出し時のスプール４１の過回転を抑制できるように構成したが、斯かる速度条件を設定せず、例えば操作パネル上のＯＮ／ＯＦＦスイッチの操作で、釣人が釣糸繰出し時にスプールモータ４９を手動で任意に駆動できるように構成してもよいし、また、速度条件を外部操作で任意に設定，変更可能としてもよい。
【００４４】
更にまた、既述した遠心カラー１３９を省略し、遊星減速機構９３のみで釣糸繰出し方向と反対方向への回転力を付勢してスプール４１に制動力をかけるように構成してもよく、斯かる実施形態によっても、上述した実施形態と同様、所期の目的を達成することが可能である。
【００４５】
【発明の効果】
以上述べたように、請求項１に係る発明によれば、従来に比し簡単な構造でスプールの過回転が抑制されてバックラッシュ現象が防止でき、支障なく釣糸の繰出し操作が行えることとなった。
【００４６】
そして、請求項２に係る発明によれば、釣糸の繰出し速度に応じて自動的にスプールの過回転が抑制されるため、より確実にバックラッシュ現象を防止することができる利点を有する。
【図面の簡単な説明】
【図１】請求項１及び請求項２の一実施形態に係る電動リールの要部断面図である。
【図２】図１に示す電動リールの要部拡大断面図である。
【図３】遊星減速機構の歯車の動作方向を示す図２のＩＩ−ＩＩ線概略断面図である。
【図４】従来の電動リールの要部断面図である。
【図５】図４に示す電動リールの要部拡大断面図である。
【符号の説明】
３１　フレーム
３３　リール本体
３５，３７　側板
３９　スプール軸
４１　スプール
４９　スプールモータ
５１　ハンドル
６３，９３　遊星減速機構
９１　動力伝達機構
９４　キャリア
９５　遊星歯車
９９　内歯歯車
１０１　太陽歯車
１０３　ピニオン軸
１０５　係合体
１１７　ピニオン
１２１　クラッチレバー
１２３　クラッチ機構
１２５　クラッチプレート
１３１　変換ギヤ
１３３　ドライブギヤ
１３９　遠心カラー
１４５　電動リール
【図１】
2004081128.tif 000003
【図２】
2004081128.tif 000004
【図３】
2004081128.tif 000005
【図４】
2004081128.tif 000006
【図５】
2004081128.tif 000007